Podtech/llm-jp-corpus-v4-ja_patent huggingface dataset:
(57)【要約】      （修正有）【課題】電車やバスのつり革に引っ掛け、つり革に触ることなく掴ることができるようにしたプラスチック製の用具を提供する。【解決手段】本用具のフック型の上部を、電車・バス等に固定された付属のつり革に引っ掛け、下部の横棒部分を手で握ることにより、つり革を直接触ることを回避している。携帯時は、カバンの手で持つ部分の付け根等に引っ掛けておくことにより、携帯しやすく、かつ、携帯時から使用する場合の動作が容易である。また、本用具の分、使用者は手を上げる位置が低くて済む。【選択図】図１
0003124121.tif 000002
【実用新案登録請求の範囲】
【請求項１】
電車やバスのつり革に引っ掛け、直接つり革に触ることなく掴ることができるようにしたプラスチック製の携帯つり革。
【考案の詳細な説明】
【技術分野】
【０００１】本考案は、電車やバスのつり革に引っ掛け、つり革に触ることなく掴ることができるようにしたプラスチック製の用具に関するものである。
【背景技術】
【０００２】従来は、電車・バス等に固定された付属のつり革に掴っていた。
【考案の開示】
【考案が解決しようとする課題】
【０００３】電車・バス等に固定された付属のつり革は、多数の人が触るため不衛生である。しかし、それを回避する為、わざわざ携帯しよう思えるような用具が存在しない。また、固定された付属のつり革は、（考案者の主観では）位置が高いと感じられる。
【課題を解決するための手段】
【０００４】本考案は、本用具のフック型の上部を、電車・バス等に固定された付属のつり革に引っ掛け、本用具の下部の横棒部分を握ることにより、課題を解決している。
【考案の効果】
【０００５】本用具の横棒部分を握ることで、つり革を直接触ることを回避している。
携帯時は、カバンの手で持つ部分の付け根等に引っ掛けておくことにより、携帯しやすく、かつ、携帯時から使用する場合の動作が容易である。
また、本用具の分、使用者は手を上げる位置が低くて済むこととなる。
【考案を実施するための最良の形態】
【０００６】本用具の下部の横棒部分を次のようにすると、より実用的である。
○両端に半円状に穴をあけた部分を設け、その部分にキーホルダーなどをつけることができるようにする。
○模様や、（お土産用として）地名や写真をプリントする。
○ブザーを内蔵して痴漢防止機能をつける。
【実施例】
【０００７】使用者は、図１のフック部分１を、電車・バスのつり革に引っ掛け、横棒部分２を握って使用する。横棒部分２を握る時は、フック部分１の付け根を、人差し指と中指、又は、中指と薬指の間に挟むことになる。
図２は、カバンの手で持つ部分に本用具を引っ掛け、携帯するときの図である。
【図面の簡単な説明】
【０００８】
【図１】本用具を斜め横から見たときの図である
【図２】本用具の携帯例であり、カバンの手で持つ部分の付け根に引っ掛けてある（本用具にキーホルダーをつけている）
【符号の説明】
１フック部分
２横棒部分
３キーホルダー等をつける為の穴
【図１】
0003124121.tif 000003
【図２】
0003124121.tif 000004
【手続補正書】
【提出日】平成18年2月21日(2006.2.21)
【手続補正１】
【補正対象書類名】実用新案登録請求の範囲
【補正対象項目名】全文
【補正方法】変更
【補正の内容】
【実用新案登録請求の範囲】
【請求項１】
ハンガーの服をかける部分を棒状にして短くし、手で握ることが出来る形状にした、携帯用のつり革。
ハンガーの吊るすところの形状部分を電車やバスのつり革に引っ掛ける。
横棒は、ハンガーの吊るすところの形状部分の付け根を、人差指と中指、又は、中指と薬指の間に挟んで、掴めるようにする。
【手続補正書】
【提出日】平成18年4月30日(2006.4.30)
【手続補正１】
【補正対象書類名】実用新案登録請求の範囲
【補正対象項目名】全文
【補正方法】変更
【補正の内容】
【実用新案登録請求の範囲】
【請求項１】
ハンガーの服を掛ける部分を短い横棒にして、ハンガーの吊るす部分の付け根を人差指と中指等の間に挟んで掴めるようにしたもので、ハンガーの吊るす部分を電車やバスのつり革に引っ掛けて使用する携帯用のつり革。
(57)【要約】      （修正有）【課題】初心者にも簡単に相撲のまわしが巻けるように工夫したフンドシを提供する。【解決手段】まわし部を腰に巻きマジックテープ（登録商標）で固定する。股の下から尻の後ろに金隠しの下の帯を持っていき腰の帯を通してマジックテープ（登録商標）で固定する。【選択図】図２
0003124123.tif 000002
【実用新案登録請求の範囲】
【請求項１】
（イ）相撲用の着脱が簡単なまわし
【考案の詳細な説明】
（考案の詳細な説明）
【０００１】（産業上の利用分野）
この考案は、相撲用のまわしである。
【０００２】（従来の技術）
従来、本格的な１本の帯を巻いてまわしをつくるものである。
【考案が解決しようとする課題】
【０００３】従来は次のような欠点があった。
（イ）初心者には巻くのが困難であった。
【０００４】（問題を解決するための手段）
本考案は、初心者にも簡単に相撲のまわしが巻けるように工夫したフンドシを提供するためのものである。
それを説明すれば、一体となったまわしをバンド形式でマジックテープを利用して身に着けるまわしである。
【０００５】（作用）
以上の構成であるため、相撲の初級者でも簡単にまわしが巻ける。
【０００６】（実用例）
以下、本考案の実用例について説明する。
（イ）まわし部を腰に巻きマジックテープで固定する。
（ロ）股の下から尻の後ろに金隠しの下の帯を持っていき腰の帯を通してマジックテープで固定する。
【考案の効果】
【０００７】本案は以上のような機能で、これを利用することによって以下のような効果が得られる。
（イ）初心者でも簡単に相撲のまわしが出来る。
【図面の簡単な説明】
【図１】はまわしの展開図。
【図２】はまわしの立体図。
【符号の説明】
１；まわし部
２；帯通し
３；マジックテープ
４；金隠し
【図１】
0003124123.tif 000003
【図２】
0003124123.tif 000004
【手続補正書】
【提出日】平成18年4月26日(2006.4.26)
【手続補正１】
【補正対象書類名】実用新案登録請求の範囲
【補正対象項目名】全文
【補正方法】変更
【補正の内容】
【実用新案登録請求の範囲】
【請求項１】
相撲用の着脱が簡単なまわしにおいて、
（１）横の胴部分の帯と縦の金隠し部分のたてみつからなるＴ字型を布等で造り、
（２）胴部分の帯の一方の端に帯通しの金具をつけ、
（３）その金具に帯を通し折り返し、
（４）折り返した端をマジックテープ（商標登録）で止め、
（５）たてみつを股の下を通して背中の尻部分の帯まで持っていき、
（６）帯と背中の間を通して端部をマジックテープ（商標登録）で止める、
以上からなる相撲のまわし。
【手続補正２】
【補正対象書類名】明細書
【補正対象項目名】全文
【補正方法】変更
【補正の内容】
【考案の詳細な説明】
【産業上の利用分野】
【０００１】この考案は、相撲用のまわしである。
【背景技術】
【０００２】従来、本格的な１本の帯を巻いてまわしをつくるものである。
【考案が解決しようとする課題】
【０００３】従来は次のような欠点があった。
初心者には巻くのが困難であった。
【問題を解決するための手段】
【０００４】本考案は、初心者にも簡単に相撲のまわしが巻けるように工夫したフンドシを提供するためのものである。
それを説明すれば、一体となったまわしをバンド形式でマジックテープ（登録商標）を利用して身に着けるまわしである。
【作用】
【０００５】以上の構成であるため、相撲の初級者でも簡単にまわしが巻ける。
【実用例】
【０００６】以下、本考案の実用例について説明する。
（イ）まわし部を腰に巻きマジックテープ（登録商標）で固定する。
（ロ）股の下から尻の後ろに金隠しの下の帯を持っていき腰の帯を通してマジックテープ（登録商標）で固定する。
【考案の効果】
【０００７】本案は以上のような機能で、これを利用することによって以下のような効果が得られる。
（イ）初心者でも簡単に相撲のまわしが出来る。
【図面の簡単な説明】
【０００８】
【図１】まわしの展開図。
【図２】まわしの立体図。
【符号の説明】
【０００９】１まわし部
２帯通し
３マジックテープ（登録商標）
４金隠し
(57)【要約】      （修正有）【課題】従来の楽器は、楽譜が読めないと曲の演奏が難しかった。本考案は、手袋の形状を利用した電気楽器を提供する。【解決手段】手のひらの外形線を五線譜に見立て、要所に音階を発生させる端子を配置。楽譜の読めない人でも知っている曲であれば、楽譜と照合し該当する端子を親指先端の端子と接触させていく事で曲を演奏出来るようにした。【選択図】図３
0003124124.tif 000002
【実用新案登録請求の範囲】
【請求項１】
手袋の内側、手のひらの外形線を五線譜に見立て、要所に音階を発生させる音階端子を配置する。この端子が親指先端の端子と接触する事により音を発生させる手袋型電気楽器。
【考案の詳細な説明】
【技術分野】
【０００１】  本考案は、手袋の形状を利用した電気楽器に関する。
【背景技術】
【０００２】  従来の楽器は、楽譜が読めないと曲の演奏が難しかった。
【考案の開示】
【考案が解決しようとする課題】
【０００３】  しかし、これでは楽譜の知識がないと曲を演奏出来ないという問題が有る。
【課題を解決するための手段】
【０００４】  そこで本考案は手袋の内側、手のひらの外形線を五線譜に見立て、要所に音階を発生させる端子を配置。楽譜の読めない人でも知っている曲であれば、楽譜と照合し該当する端子を親指先端の端子と接触させていく事で曲を演奏出来るようにした。
【考案の効果】
【０００５】  手袋の形状を利用する事により、手元を確認しなくても端子の位置を把握して演奏する事が期待出来る。その特徴により、幼児の知育玩具、又はお年寄りの脳の活性化を目的とした健康器具としての効果も考えられる。
【考案を実施するための最良の形態】
【０００６】  本考案に係る手袋型楽器１０は、図１手袋内側に示すように、手のひらの外形線を五線譜に見立て、各音階の端子２を配置してある。この端子２を親指先端部の端子１と接触させる事により電気信号を発生、図２手袋外側に設置したスピーカー４より電気音を発生させる。手袋の素材には、使用する大の手の大きさを特定しない、伸縮性の有る物が望ましい。
【図面の簡単な説明】
【０００７】
【図１】  手袋内側に配置した、端子を簡単に示した図である。
【図２】  手袋外側に配置した、スピーカーを簡単に示した図である。
【図３】  手袋を装着し、楽譜を見ながら演奏している状態の図である。
【符号の説明】
【０００８】        １  親指先端の端子
２  音階の端子
３  五線譜をイメージさせる線
４  スピーカー
１０  手袋型電気楽器
【図１】
0003124124.tif 000003
【図２】
0003124124.tif 000004
【図３】
0003124124.tif 000005
【手続補正書】
【提出日】平成18年3月28日(2006.3.28)
【手続補正１】
【補正対象書類名】実用新案登録請求の範囲
【補正対象項目名】全文
【補正方法】変更
【補正の内容】
【実用新案登録請求の範囲】
【請求項１】
手袋の内側、人差し指から小指までの外形線を五線譜に見立て、これら指の少なくとも一ヶ所に音階を発生させる端子を配置、この端子が親指先端の端子と接触する事により音を発生させるという構造を有する手袋型電気楽器。
(57)【要約】【課題】  凸部を１つ以上有し、食品に突き刺したり押さえたりすることで弁当箱が傾いたり揺れたりした時の食品の偏りを防止する機構を提供する。【解決手段】  この考案による機構は、上に向かって設けた凸部を１つ以上有している。この考案による機構を弁当箱の内側に設置し、この機構が有する複数の凸部に、おかず等の食品を突き刺したり押さえたりする。【選択図】図１
0003124122.tif 000002
【実用新案登録請求の範囲】
【請求項１】
凸部を１つ以上有し、その凸部に食品に突き刺したり押さえたりすることで食品の偏りを防止する機構。
【請求項２】
凸部を１つ以上有し、弁当箱に収納した食品に突き刺したり押さえたりすることで弁当箱が傾いたり揺れたりした時の食品の偏りを防止する機構。
【考案の詳細な説明】
【技術分野】
【０００１】  この考案は、弁当箱または弁当を収納するケースにおいて収納したおかず等の食品の偏りを防止する機構に関するものである。
【背景技術】
【０００２】  従来、弁当箱が傾いたり揺れることにより、弁当箱に詰めたおかずが偏ったり、おかずが弁当箱内で分散してしまうことがあった。これを防ぐためには、おかずを詰める箇所を複数の仕切り壁で区切って、複数の小さな収納部におかずを入れるなどしていた。
【考案の開示】
【発明が解決しようとしている課題】
【０００３】  しかし、この場合、収納するおかずにあわせて複数の収納部に区切る必要があった。コンビニエンスストア等、多種多様な弁当を販売する業者の場合、弁当を収納するケースもその種類にあわせて準備する必要があり、また弁当の種類を追加／変更するたびにケースも見直す必要があった。
このため、多種多様な弁当を販売する業者の場合は上記技術を利用することが困難になっていた。
【課題を解決するための手段】
【０００４】  この考案による機構は、上に向かって設けた凸部を１つ以上有している。
また、本考案による機構は、弁当箱の食品収納部の内側に設置できる大きさになっている。
【発明の効果】
【０００５】  弁当箱が傾いたり揺れたりしても、弁当箱に詰めたおかずの偏りや分散を、防止することが可能になる。
また、コンビニエンスストア等、多くの種類の弁当を販売する場合でも、本考案による機構を複数種類準備する必要がないため、コストを抑えた形で偏りを防止できる。
【考案を実施するための最良の形態】
【０００６】  以下、本考案の実施例について説明する。
この考案による機構を弁当箱の内側に入れ、この機構が有する複数の凸部におかず等の食品を突き刺したり押さえたりする。これにより、弁当箱が傾いたり揺れたりした時の食品の偏りを防止することができる。
【図面の簡単な説明】
【０００７】
【図１】本考案の全体斜視図
【図２】本考案の使用中の斜視図
【符号の説明】
【０００８】  １．本考案の機構の本体
２．凸部
３．食品
【図１】
0003124122.tif 000003
【図２】
0003124122.tif 000004
【手続補正書】
【提出日】平成18年5月6日(2006.5.6)
【手続補正１】
【補正対象書類名】実用新案登録請求の範囲
【補正対象項目名】全文
【補正方法】変更
【補正の内容】
【実用新案登録請求の範囲】
【請求項１】
凸部を１つ以上有し、その凸部に食品に突き刺したり押さえたりすることで食品の偏りを防止する弁当容器用中敷き。
【請求項２】
凸部を１つ以上有し、弁当箱に収納した食品に突き刺したり押さえたりすることで弁当箱が傾いたり揺れたりした時の食品の偏りを防止する弁当容器用中敷き。
【手続補正２】
【補正対象書類名】明細書
【補正対象項目名】考案の名称
【補正方法】変更
【補正の内容】
【書類名】  明細書
【考案の名称】弁当容器用中敷き
(57)【要約】      （修正有）【課題】ノ−トを使用する際，縦書きでも横書きでも使用できるとともに，曲がらず真っ直ぐに書けるよう，予め格子状のガイドラインを設けたノ−トを提供する。【解決手段】（１）ノ−ト用紙の表地に横の罫線を，裏地に縦の罫線を印刷する。（２）それぞれの罫線は，できるだけ薄い色を用いて印刷し，全体して，それぞれの紙の表裏が，あたかも格子線を設けたように見えるようにする。以上のような，縦書きでも横書きでも使用できるとともに，曲がらず真っ直ぐに書けるように格子状のガイドラインを設けたノ−トであることを特徴とする。【選択図】なし【実用新案登録請求の範囲】
【請求項１】
ノ−ト用紙の表地に横書き用の罫線を，裏地に縦書き用の罫線を印刷したノ−トで，
（１）縦書きでも横書きでも，曲がらずに真っ直ぐ書けるように格子状のガイドラインを設けるため，表地には適当な幅を有する横の罫線を印刷し，裏地には横の罫線と同じ幅を有する縦の罫線を印刷する。
（２）それぞれの罫線は，（１）のガイドラインとしての目的を達成できる範囲で，できる限り薄い色で印刷する。
（３）このようにして，横の罫線を印刷した表地には，裏地に印刷した縦の罫線が微かに見え，縦の罫線を印刷した裏地には，表地に印刷した横の罫線が微かに見え，全体として，それぞれの紙の表裏が，あたかも格子線を設けたように見える。
（４）１冊のノ−トを両面から使用できるよう表裏を同じ形態にし，横書きのノ−トとして使用する場合は表側の表地を使い，縦書きのノ−トとして使用する場合は裏側の裏地を使う。
以上の構成による，縦書きでも横書きでも使うことができるとともに，曲がらずに真っ直ぐ書けるように，ノ−ト用紙の表地に横の罫線を設け，裏地に縦の罫線を設けたことを特徴とするノ−ト。
【考案の詳細な説明】
【０００１】  この考案は，ノ−トに文章を書く際，縦書きでも横書きでも対応できるよう，予め，ノ−ト用紙の表地には横の罫線を，裏地には縦の罫線を印刷し，格子状のガイドラインを設けたノ−トに関するものである。
【背景技術】
【０００２】  従来，ノ−トは，縦書き用の縦の罫線を設けたもの，横書き用の横の罫線を設けたもの，方眼のもの以外は無地のものが多かった
【考案が解決しょうとする課題】
【０００３】  これは，次のような問題点があった。
ノ−トは，ノ−ト用紙に印刷された罫線により使用方法が限定され，縦書き用は縦書きのみ，横書き用は横書きのみしか使用できなかった。
このため，使用目的に合ったノ−トを用意する必要があった。
本考案は，以上のような欠点をなくし，ノ−トを使用する際，縦書きでも横書きでも使用できるよう格子状のガイドラインを設けたノ−トに関するものである。
【課題を解決するための手段】
【０００４】  （１）ノ−ト用紙の表地を横書き用にするため，表地に横の罫線を設け，裏地を縦書き用にするため，裏地に縦の罫線を設ける。
（２）縦書きでも横書きでも，曲がらずに真っ直ぐ書けるように格子状のガイドラインを設けるため，表地には適当な幅を有する横の罫線を印刷し，裏地には横の罫線と同じ幅を有する縦の罫線を印刷する。
（３）ノ−トを両面から使えるようにするため，ノ−ト用紙を必要枚数束ね，表裏同じ形態の表紙を設ける。
（４）それぞれの罫線は，（２）のガイドラインとしての目的を達成できる範囲で，できる限り薄い色で印刷する。
（５）このようにして，ノ−ト用紙に横の罫線を印刷した表地には裏地に印刷した縦の罫線が微かに見え，縦の罫線を印刷した裏地には表地に印刷した横の罫線が微かに見え，全体して，それぞれの紙の表裏が，あたかも格子線を設けたように見えるようにする。
（６）ノ−トを両面から使えるようにするため，１冊のノ−トの表裏を同じ形態にし，横書きのノ−トとして使用する場合は，表側から表地を使い，縦書きのノ−トとして使用する場合は，裏側の裏地を使う。
【考案を実施するための最良の状態】
【０００５】  （１）ノ−トに文章等を書く場合，縦書きの場合は，縦の罫線を印刷した表地を使用し，横書きの場合は，横の罫線を印刷した裏地を使用する。
（２）縦書きでも横書きでも，曲がらずに真っ直ぐ書けるように設けた格子状のガイドラインに沿って書く。
【考案の効果】
【０００６】  ノ−トを使用する際，使用目的に合ったノ−トを用意する必要がある。
本考案のノ−トは，１冊のノ−トで縦書きでも横書きでも使用できるとともに，縦書きでも横書きでも，曲がらずに真っ直ぐ書けるように格子状のガイドラインを設けたものである。
本考案の格子状のガイドラインを設けたノ−トは，
（１）ル−ズリ−フノ−ト，システム手帳にも応用できる。
この場合，用紙の表裏を逆にして綴じればよい。
（２）便箋にも応用できる。
この場合，ノ−トと同様，表も裏も同様の表紙を付け，必要に応じてどちら側からでも使用できるようにする。
（３）メモ用紙にも応用できる。
（４）ノ−トや便箋のように綴じたり束ねたりするのでなく，バラの用紙として使用できる。
【図面の簡単な説明】
【０００７】
【符号の説明】
【０００８】
0003124126.tif 000002
【手続補正書】
【提出日】平成18年3月19日(2006.3.19)
【手続補正１】
【補正対象書類名】明細書
【補正対象項目名】０００７
【補正方法】変更
【補正の内容】
【０００７】
【図１】本考案のノ−トの正面図である。
【図２】本考案のノ−トの背面図である。
【図３】本考案のノ−トの表地から見た斜視図である。
【図４】本考案のノ−トの裏地から見た斜視図である。
【手続補正２】
【補正対象書類名】明細書
【補正対象項目名】０００８
【補正方法】変更
【補正の内容】
【０００８】  １  縦の罫線
２  横の罫線
３  裏地の横の罫線
４  表地の縦の罫線
【手続補正３】
【補正対象書類名】図面
【補正対象項目名】全図
【補正方法】変更
【補正の内容】
【図１】
0003124126.tif 000003
【図２】
0003124126.tif 000004
【図３】
0003124126.tif 000005
【図４】
0003124126.tif 000006
(57)【要約】      （修正有）【課題】睡眠中の気温変化や寝汗、乾燥の為に朝方に咳が出たり、喉に痛みを感じたりしている人が多い。また、睡眠時に、咳が気になり熟睡できない。実開平６のタオル製の首廻り保温材では、長さが首廻りの寸法のみであり鎖骨の間の喉の所の保温ができず、更に、首に固定する形である為、就寝時には違和感や寝苦しさを感じるところがある。【解決手段】就寝時に、タオル生地のマフラー状の帯状布２を巻いて寝る。長さを首周りから胸骨の途中までにし、両端部に着脱可能な係上手段を取り付けている為、鎖骨の所から両方の端が重なる形となり、気管の所まで吸汗、保温ができるようになった。更に、幅を首のつけねから顎の下までを覆う幅とし、首周りを斜めに覆う形とした為、ゆとりが生まれ、違和感や寝苦しさを感じないようになった。また、脱着可能な係止手段３を付けている為、外したり着けたりすることが簡単で、寝ている間に外れることもないようにした物である。【選択図】図２
0003124127.tif 000002
【実用新案登録請求の範囲】
【請求項１】
矩形のタオル生地からなる布地を折り重ねた帯状布の両端部に着脱可能な係上手段を用いたことを特徴とする吸汗・保温マフラー。
【考案の詳細な説明】
【技術分野】
【０００１】  本考案は、睡眠中の気温の変化や寝汗によって首周りが冷え、風邪をひいたり、咳が出たりする現象を緩和するための、タオル生地の吸汗・保温品に関するものである。
【背景技術】
【０００２】    特許文献１には、タオル製の首廻り保温材、または、家庭によってタオル等を首に巻いて眠っていた。
【特許文献１】  実開平６−５７３２９号公報
【考案の開示】
【考案が解決しようとする課題】
【０００３】  睡眠中の気温変化や寝汗、乾燥の為に朝方に咳が出たり、喉に痛みを感じたりしている人が多い。また、睡眠時に、咳が気になり熟睡できない。実開平６のタオル製の首廻り保温材では、長さが首廻りの寸法のみである為、就寝時に用いるとすると、鎖骨の間の気管部分の所の保温ができない。
【課題を解決するための手段】
【０００４】  就寝時に、タオル生地のマフラー状の物を巻いて寝る。長さを首周りから胸骨の途中までにし、両端部にマジックテープ付けている為、鎖骨の所から両方の端が重なる形となり、喉の所まで吸汗、保温ができるようになった。更に、幅を首のつけねから顎の下までを覆う幅とし、首周りを斜めに覆う形とした為、吸汗・保温できる範囲が広くなった。また、マジックテープを付けている為、外したり着けたりすることが簡単で、首周りの大きさも調節でき、子供から大人まで使用可能であり、寝ている間に外れることもないようにした物である。
【考案の効果】
【０００５】  睡眠時の温度変化、寝汗等の相互作用により、喉の痛みや、起床時の咳がおこりやすい。（最近は睡眠中もエアコンをつけたままであるため喉の乾燥、冷えもある。）
本品は、タオル生地を使っている為、吸汗性に優れ保温効果も期待できるものである。タオル生地は二枚重ねにし、長さも胸骨の途中までとした為、喉元までの吸汗、保温ができる。また、マジックテープも付けた為、就寝中にはずれにくく起床時の咳や喉の痛みが緩和できるものである。コスト的にも安くできるので、洗いがえに何枚か準備することも可能である。
【考案を実施するための最良の形態】
【０００６】  生地は、吸汗性に優れているタオル生地（表面に輪奈を出したパイル織りの織物）を用い、長さは７２ｃｍ〜７７ｃｍの範囲、幅１８ｃｍ〜２２ｃｍ（生地が薄手で三重にする場合は幅２７〜３０ｃｍとする）の範囲の生地を縫代約１ｃｍとし、二重に縫い合わせることで、吸汗性を高め・保温性を持たせる。（図１、図２）と共に、両端部から約５ｃｍと約３ｃｍの二箇所に面状ファスナー又は、スナップ等を取り付けることにより、脱着が用意であり、就寝中も外れないようになっている。また、二箇所に付けている為、首周りの大きさも調整でき、大人から子供まで使用可能である。長さを首周りから胸骨の途中までとし気管の所の保温を可能とする。更に、幅も首周りを覆う幅とし、首全体の吸汗・保温を可能とする。
【図面の簡単な説明】
【図１】Ａは矩形のタオル生地を示し
【図２】Ｂは縫い合わせた状態を示す
【図３】首に使用した状態を示している
【符号の説明】
１    タオル生地
２    帯状布
３    着脱可能な係上手段
【図１】
0003124127.tif 000003
【図２】
0003124127.tif 000004
【図３】
0003124127.tif 000005
(57)【要約】【課題】油揚げした米菓にチョコレート生地を被覆するときに発生するチョコレートの白化やべたつきが防止された、チョコレートを被覆した米菓を提供する。【解決手段】  パーム油のみを用いて油揚げした米菓とチョコレート生地を組み合わせることで、被覆したチョコレートの白化やべたつきを防止することができる。【選択図】  図１
0003124128.tif 000002
【実用新案登録請求の範囲】
【請求項１】
パーム油のみで油揚げした米菓とチョコレート生地を組み合わせた菓子。
【考案の詳細な説明】
【技術分野】
【０００１】
本考案は、米菓とチョコレート生地を組み合わせた菓子に関し、より具体的にはチョコレートを被覆した米菓に関する。
【背景技術】
【０００２】
あられ、煎餅等の米菓は、通常以下の工程で製造される。
１．  洗米し吸水させたもち米やうるち米を蒸した後杵でついたり、もち粉や米粉を吸水させて蒸練して餅状の生地を作る。
２．  生地を箱や輪型につめたり、棒状に延ばして冷却し、切断して成型する。
３．  成型したものを乾燥してペレットにする。
４．  ペレットを必要に応じて水分調整した後、焙焼したり油で揚げたりして膨化する。
５．  膨化したものを塩や醤油等で味付けする。
６．  必要に応じて仕上げ乾燥を行う。
油で揚げた米菓は、通常２０〜４０重量％程度の油脂を含有しており、焙焼したものに比べて口当たりがソフトで口溶けが良いのが特徴である。油で揚げた米菓にチョコレートを被覆すると、米菓に含まれる油がチョコレートに移行して、チョコレート中のカカオバターが表面に露出し、表面が白っぽくなるブルーミング現象を起こしたり、カカオバターと混じることで、チョコレート中の油脂の融点降下を起こして融けやすくなるためチョコレートがべとつく。なお、チョコレートを被覆した米菓としては、米菓の一種である“柿の種”にチョコレートを被覆した製品が知られているが、この柿の種は油で揚げず焙焼したものであるため、油脂の移行が起こらず上記の問題は発生しない。
【０００３】
特許文献１には、多孔性可食物を油性菓子生地中に浸漬した状態で、減圧及び減圧解除することで、チョコレート等の油性菓子生地を可食物の組織内に浸透させることを特徴とする菓子製造法が開示されている。
また特許文献２には、焼き菓子を微粉砕してチョコレートの製造工程にて加工したチョコレート様油脂性菓子が開示されている。
しかしこれら文献はいずれも上記の油脂移行に起因するチョコレートの白化やチョコレートのべたつきという問題には言及しておらず、これら問題を解決するものではない。
【特許文献１】特開平１０−１５０９１７号公報
【特許文献２】特開２００３−３１０１６５号公報
【考案の開示】
【考案が解決しようとする課題】
【０００４】
本考案は、油揚げした米菓にチョコレート生地を被覆するときに発生するチョコレートの白化やべたつきが防止された、チョコレートを被覆した米菓を提供することを課題とした。
【課題を解決するための手段】
【０００５】
本考案は、油揚げするときにパーム油のみを用いて製造した米菓とチョコレート生地を組み合わせることで、油揚げした米菓にチョコレート生地を被覆するときに発生するチョコレートの白化やチョコレートのべたつきを防止するものである。
【考案の効果】
【０００６】
本考案により、白化やべたつきのない良好なチョコレート被覆米菓を得ることができ、油揚げしたソフトな口当たりの米菓とチョコレートという、和菓子と洋菓子の新奇な組み合わせの菓子を提供することができる。
【考案を実施するための最良の形態】
【０００７】
本考案において米菓は、もち米、うるち米、もち粉、米粉等を主原料として使用するものである。また、小麦粉、コーンスターチ、馬鈴薯澱粉等、他の澱粉質を含んでいてもよく、砂糖、麦芽糖、ブドウ糖、トレハロース、ソルビトール、オリゴ糖、水飴等の糖類、さらには塩、調味料等を含んでいてもよい。また、必要に応じてナッツ類、乾燥果実や干した小魚、チーズ等の固形物を練り込んでもよい。
【０００８】
本考案においては、常法により得られた米菓のペレットを、パーム油のみを用いて油揚げする。通常米菓を油揚げするときは、米油、大豆油、菜種油等を使用して油揚げされる。これらの油により油揚げされた米菓にチョコレートを被覆するとチョコレートが白化したり、べたつきが起こるが、本考案ではそれらが防止される。なお、油揚げした米菓にはそのままチョコレートを被覆してもよく、被覆する前に塩等で味付けしてもよい。
【０００９】
本考案に用いるチョコレート生地は、チョコレート類の表示に関する公正競争規約におけるチョコレート生地又は、準チョコレート生地をいう。そしてチョコレート生地はパンコーティング、エンロービング等の公知の方法により米菓に被覆されうる。
以下に実施例を示し、本考案をさらに詳細に説明するが、本考案はこれに限定されるものではない。
【実施例１】
【００１０】
もち粉１００重量部、食塩０．５重量部、水５０重量部を混合して蒸練を行い、餅状の生地を得た。これにあらびきピーナッツ２重量部を混合し、該生地を厚さ２ｍｍ程度に延圧し、急冷して硬化させた後３０ｍｍ×１０ｍｍの大きさに切断した。これを乾燥機に入れて水分１５重量％程度になるまで乾燥し、ペレットを得た。該ペレットを１７０℃のパーム油中で、水分１重量％程度になるまで揚げてあられを得た。得られたあられに、レボルビングパンを用いてカカオマス２０重量％、砂糖４１．５重量％、全粉乳２０重量％、カカオバター１８重量％、レシチン０．５重量％のチョコレート生地を噴霧しながら冷却して、チョコレート生地が被覆されたあられ菓子を得た。該あられ菓子を室温で保存したが、チョコレートのべたつきはみられず良好な状態であった。また、これを１８℃にて１ヶ月間保存したが、チョコレートの白化は起こらず良好なままであった。
【００１１】
比較例１
ペレットを揚げるときに菜種油を用いる以外は、実施例１と同様にしてチョコレート生地が被覆されたあられ菓子を得た。該あられ菓子を室温で保存すると、チョコレートが融けてべたついてきた。また１８℃にて１ヶ月間保存すると、表面に白いつぶ状のブルーミングが現れた。
【図面の簡単な説明】
【００１２】
【図１】実施例１のチョコレート被覆米菓の模式的断面図である。
【符号の説明】
【００１３】
１・・・  チョコレート生地が被覆されたあられ菓子
２・・・  パーム油で油揚げしたあられ
３・・・  チョコレート生地
４・・・  あらびきピーナッツ
【図１】
0003124128.tif 000003
(57)【要約】【課題】より大きい電流を負荷できる電気接続部材の端子をを提供する。【解決手段】折り曲げる可能な金属プレートを有し、該金属プレートは、互いに対称する二つの本体を有し、各本体の一側に挟持部が設けられると共に、他側に折り曲げ部が設けられ、本体の間に連接部が設けられることにより、二つの本体を連接させる電気接続部材の端子であって、前記各折り曲げ部に夫々ピンが設けられる。【選択図】図２
0003124200.tif 000002
【実用新案登録請求の範囲】
【請求項１】
折り曲げる可能な金属プレートを有し、該金属プレートは、互いに対称する二つの本体を有し、各本体の一側に挟持部が設けられると共に、他側に折り曲げ部が設けられ、本体の間に連接部が設けられることにより、二つの本体を連接させる電気接続部材の端子であって、
前記各折り曲げ部に夫々ピンが設けられることを特徴とする、
電気接続部材の端子。
【考案の詳細な説明】
【技術分野】
【０００１】
本考案は、特により大きい電流を負荷できる電気接続部材の端子に関するものである。
【背景技術】
【０００２】
電気製品の作動速度に影響を与える要因の一つは、電流の大きさであり、即ち、電気製品の作動速度を速くするためには、大電流を提供する必要がある。尚、一般の電気製品は、電気接続部材によって電源や他の電気製品と電気接続するため、該電気接続部材における端子の電流負荷の可能量は、電気製品の作動速度に対してかなり影響がある。
【０００３】
図５に示すように、前記電気接続部材の端子は、折り曲げる可能な金属プレート（２）を有し、該金属プレート（２）は、互いに対称する二つの本体（２０）を有し、各本体（２）の一側に挟持部（２１）が設けられると共に、他側に折り曲げ部（２２）が設けられ、その一つの折り曲げ部（２２）にピン（２４）が設けられ、又、本体（２０）の間に連接部（２３）が設けられることにより、二つの本体（２０）を連接させる。
【０００４】
又、図６乃至図８に示すように、前記端子を製造する際、先ず連接部（２３）の両側に沿って金属プレート（２）を湾曲することにより、コ字形の構造となり、折り曲げ部（２２）を互いに向かって湾曲した後、ピン（２４）を折り曲げ部（２２）の湾曲方向と逆方向に湾曲する。通電する際、電流がピン（２４）から順序に折り曲げ部（２２）、本体（２０）及び挟持部（２１）を通じて電気製品に導入する。従って、電気製品の作動速度は、ピン（２４）の電流負荷量によって決定する。
【考案の開示】
【考案が解決しようとする課題】
【０００５】
しかしながら、前記従来の電気接続部材の端子におけるピン（２４）は、一本しかないため、より大きい電流を通過することができなく、電気製品の作動速度を更に向上することができない。
【０００６】
又、ピンの厚さを向上することにより、通過の電流を向上することができるが、金属プレートの厚さは、均一であるので、、ピンの厚さのみ向上する場合、製造コストを増加してしまうという問題がある。
【０００７】
本考案は以上の点に鑑みて成されたもので、本考案は、より大きい電流を負荷できる電気接続部材の端子を提供することを目的とする。
【課題を解決するための手段】
【０００８】
本考案は、折り曲げる可能な金属プレートを有し、該金属プレートは、互いに対称する二つの本体を有し、各本体の一側に挟持部が設けられると共に、他側に折り曲げ部が設けられ、本体の間に連接部が設けられることにより、二つの本体を連接させる電気接続部材の端子であって、各折り曲げ部に夫々ピンが設けられることを特徴とする、電気接続部材の端子、を提供する。
【考案の効果】
【０００９】
本考案は上記の課題を解決するものであり、端子に、互いに重なり合わされる二つのピンを端子と一体形成することにより、電流の負荷量を増加するので、電気製品の作動速度を向上することができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る電気接続部材の端子を示す展開平面図であり、図２は本考案に係る電気接続部材の端子を示す斜視図であり、図３は本考案に係る電気接続部材の端子を示す正面図であり、図４は本考案に係る電気接続部材の端子を示す平面図である。
【００１２】
図１に示すように、本考案に係る電気接続部材の端子は、折り曲げる可能な金属プレート（１）を有し、該金属プレート（１）は、互いに対称する二つの本体（１０）を有し、各本体（１）の一側に挟持部（１１）が設けられると共に、他側に折り曲げ部（１２）が設けられ、本体（１０）の間に連接部（１３）が設けられることにより、二つの本体（１０）を連接させる電気接続部材の端子であって、
前記各折り曲げ部（１２）にピン（１４）が設けられる。
【００１３】
又、図２乃至図４に示すように、本考案に係る電気接続部材の端子を製造する際、先ず連接部（１３）の両側に沿って金属プレート（１）を湾曲することにより、コ字形の構造となり、折り曲げ部（１２）を互いに向かって湾曲した後、ピン（１４）を折り曲げ部（１２）の湾曲方向と逆方向に湾曲することにより、二つのピン（１４）を併合させる。通電する際、電流が併合した二つのピン（１４）から順序に折り曲げ部（１２）、本体（１０）及び挟持部（１１）を通じて電気製品に導入するので、電流の負荷量を増加することができる。
【００１４】
本考案は上記の構成を有すし、端子に、互いに重なり合わされる二つのピンを端子と一体形成することにより、電流の負荷量を増加するので、電気製品の作動速度を向上することができる。
【図面の簡単な説明】
【００１５】
【図１】本考案に係る電気接続部材の端子を示す展開平面図である。
【図２】本考案に係る電気接続部材の端子を示す斜視図である。
【図３】本考案に係る電気接続部材の端子を示す正面図である。
【図４】本考案に係る電気接続部材の端子を示す平面図である。
【図５】従来の電気接続部材の端子を示す展開平面図である。
【図６】従来の電気接続部材の端子を示す斜視図である。
【図７】従来の電気接続部材の端子を示す正面図である。
【図８】従来の電気接続部材の端子を示す平面図である。
【符号の説明】
【００１６】
１          金属プレート
１０        本体
１１        挟持部
１２        折り曲げ部
１３        連接部
１４        ピン
２          金属プレート
２０        本体
２１        挟持部
２２        折り曲げ部
２３        連接部
２４        ピン
【図１】
0003124200.tif 000003
【図２】
0003124200.tif 000004
【図３】
0003124200.tif 000005
【図４】
0003124200.tif 000006
【図５】
0003124200.tif 000007
【図６】
0003124200.tif 000008
【図７】
0003124200.tif 000009
【図８】
0003124200.tif 000010
(57)【要約】      （修正有）【課題】マイクロホン等の入出力装置を、簡単な構造で本体装置に対して複数の角度を選択的に取り得て、しかも取付面積を小さくできる取付構造を提供する。【解決手段】本体装置へ固定するための台座部と入出力装置を保持するための保持部とで構成した支持部材の前記台座部を多面体形状に形成し、前記多面体の各面には本体装置へ固定するための取付穴を形成し、前記多面体の所定の面を選択して固定することによって、前記入出力装置と前記本体装置との角度を複数取り得るようにした。【選択図】図１
0003124112.tif 000002
【実用新案登録請求の範囲】
【請求項１】
本体装置へ固定するための台座部と入出力装置を保持するための保持部とで構成した支持部材を前記本体装置のあらかじめ設けられた支持部材取付部へ固定する取付構造であって、前記台座部は多面体形状に形成し、前記多面体の各面には前記支持部材取付部へ固定するための取付穴を形成し、前記支持部材取付部と接する前記多面体の所定の面を選択して固定することによって、前記入出力装置と前記本体装置との角度を複数取り得るようにしたことを特徴とする入出力装置の取付構造。
【考案の詳細な説明】
【技術分野】
【０００１】
本考案は、例えばマイクロホン等の入力装置または出力装置を、支持部材を介して本体装置に固定する取付け構造に関するものである。
【背景技術】
【０００２】
マイクロホン等の取付け構造は種々提案されているが、例えば実開５−９７１９１号公報では外筒と内筒とで構成し机等の板材に取付孔をあけて固定する取付け装置が提案されている。
【０００３】
テレビ会議システムのような遠隔会議システムでは、マイクロホンとスピーカとを一体化した装置が用いられることが多い。このシステムにおいては、エコーやハウリングを抑制するため複数のマイクロホンをスピーカの正面軸と異なる角度に配置している。
【考案の開示】
【考案が解決しようとする課題】
【０００４】
しかしながら、上記提案のような構成ではマイクロホンをスピーカの正面軸と異なる角度に配置することは可能であるが、その角度は連続的に自由に変化するため、あらかじめ決めたれた角度に設定するためには手間を必要とし、また構成部品が多く高価となってしまうという問題点がある。さらに、取り付けるために広い面積が必要であるため、本体装置の小型化が困難となってしまうという問題もある。
【０００５】
本考案は上記の問題点を解決するもので、簡単な構造で本体装置に対して複数の角度を選択的に取り得て、しかも取付面積を小さくできる取付構造を提供することを課題としている。
【課題を解決するための手段】
【０００６】
上記課題を解決するため、本考案は、本体装置へ固定するための台座部と入出力装置を保持するための保持部とで構成した支持部材を本体装置のあらかじめ設けられた支持部材取付部へ固定する取付構造であって、前記台座部は多面体形状に形成し、多面体の各面には前記支持部材取付部へ固定するための取付穴を形成し、支持部材取付部と接する前記多面体の所定の面を選択して固定することによって、前記入出力装置と本体装置との角度を複数取り得るようにした。
【考案の効果】
【０００７】
本考案の取付構造は取付面を選択して固定する事が可能なため、入出力装置と本体装置との角度を手間をかけずに選択的に設定する事ができる。また、角度を設定する為に必要な部品として、多面体形状の台座部と入出力装置の保持部を有する支持部材は１部品で形成することができることから部品構成を簡素化することができ、安価なコストで提供することができる。また、多面体の各面に前記支持部材取付部へ固定するための取付穴を形成しているため、取付に必要とする面積を小さくすることができる。さらに、取付穴を１方向に向けて設けたことで、本考案の取付部材を射出成形など金型をもちいて成型する場合において金型に複雑な構造を必要としないので、金型費用を安価にすることができる。
【考案を実施するための最良の形態】
【０００８】
図１は、本考案の支持部材を本体装置に固定した１実施例を示す斜視図である。図１において、１は本体装置、２は本考案の支持部材、３は入出力装置、４は支持部材を本体装置へ固定する部材で本実施例ではねじを用いている。５は本体装置１に形成された支持部材取付部である。
【０００９】
図２は図１の矢印Ｂ方向から見た平面図である。入力装置３は本体装置１に対して＋α，−αの角度を保って固定されている。
【００１０】
図３は支持部材２の詳細を示す正面図、図４は図３で示す支持部材２のＡ−Ａ断面図である。支持部材２はマイク等の入出力装置を保持する保持部６と、本体装置１に固定される台座部７で構成され、前記台座部７は多面体形状とし、多面体の各面８、９、１０にはねじ゛４を挿入する取付穴１４，１５，１６が形成されている。他の各面１１，１２，１３は前記８，９，１０の各面と平行に形成されており本体装置１の支持部材取付部５と接して支持部材をねじ４で固定する面である。各面１１、１２、１３のいずれかを支持部材取付部５と接する面として選択することにより、前記入出力装置３を本体装置１の正面軸と異なる角度へ配置可能になる。すなわち面１２を本体装置の支持部材取付部５と接して固定すれば前記入出力装置３は本体装置１の正面軸と同一の角度となり、面１１または１３を選択すれば本体装置１の正面軸と異なる角度へ配置可能になる。
【００１１】
また、前記台座部７の取付穴１４，１５，１６は正面軸と平行な１方向（図３の矢印Ｚで表す）のみへ金型が移動すれば成型可能のような形状としたため、取付部材２を射出成形などの金型を用いて成型する場合は複雑な金型構造を必要としないので金型を簡単に製作することができる。なお、本実施例では台座部７の多面体を６角形として説明したが、本考案はこれに限定されるものではない。
【図面の簡単な説明】
【００１２】
【図１】本考案の支持部材を本体装置に固定した１実施例を示す斜視図
【図２】図１の矢印Ｂ方向から見た平面図
【図３】支持部材の詳細を示す正面図
【図４】図３のＡ−Ａ断面図
【符号の説明】
【００１３】
１    本体装置
２    支持部材
３    入出力装置
４    ねじ
５    支持部材取付部
６    保持部
７    台座部
８    台座部７の面
９    台座部７の面
１０  台座部７の面
１１  台座部７の面
１２  台座部７の面
１３  台座部７の面
１４  取付穴
１５  取付穴
１６  取付穴
【図１】
0003124112.tif 000003
【図２】
0003124112.tif 000004
【図３】
0003124112.tif 000005
【図４】
0003124112.tif 000006
(57)【要約】【課題】車両排気管の排気ダスト除去補助装置を提供する。【解決手段】本考案は、中空の管状の本体１０に、一体の延伸段１０１を設け、延伸段１０１を排気管内に装着し、本体１０内に吸気孔１１を形成し、延伸段１０１内には排気孔１２を形成し、吸気孔１１は内側の斜面１３にラッパ状を形成し、排気孔１２は直線面１４に直線状を形成することにより、通過する排気が気圧を発生し、流速を増強する効果を得て、流速が増強されることにより、排気管内の排気ダストの除去を補助し、排気を更に円滑にし、エンジンの馬力の効率を強化する。【選択図】図１
0003124116.tif 000002
【実用新案登録請求の範囲】
【請求項１】
中空の管状の本体に、一体の延伸段を設け、延伸段を排気管内に装着し、本体内に吸気孔を形成し、延伸段内には排気孔を形成し、吸気孔は内側の斜面にラッパ状を形成し、排気孔は直線面に直線状を形成することを特徴とする車両排気管の排気ダスト除去補助装置。
【請求項２】
前記延伸段は薄く形成され、排気管との間に間隔を設け、延伸段は間隔を具有する排気孔の出口箇所に側面部気流の効果を形成し、側面部気流の妨害を低減し気流の円滑性を達成することを特徴とする請求項１に記載の車両排気管の排気ダスト除去補助装置。
【請求項３】
前記延伸段の外周には凹弧面が設けられ、側面部気流の排出を正常方向に導引する効果を具有することを特徴とする請求項１に記載の車両排気管の排気ダスト除去補助装置。
【考案の詳細な説明】
【技術分野】
【０００１】
本考案は車両排気管内に装着し、ダストの除去を補助する装置に関する。
【背景技術】
【０００２】
公知の車両排気管は、単純な管体にてなり、管の末端にはサイレンサーを装着してなり、エンジン、排気の騒音を減少し、サイレンサーは円滑な排気の障害となり、即ち排気の気流速度を減速させ、更にダストの問題を発生し、排気ダストは円滑な排気を妨げ、悪循環となり、エンジンの正常な排気に影響し、馬力への影響を発生する。
【特許文献１】特開２００２−４８３６号公報
【考案の開示】
【考案が解決しようとする課題】
【０００３】
本考案は、中空な本体に口径縮小してなるラッパ形状の吸気孔、同等な直径の直管状の排気孔を設けてなり、通過する排気の増圧、直線流導作用を発生し排気流の速度を増強し、更に排気ダストの蓄積を防ぎ、排気を円滑にすることを目的とする。
【０００４】
本考案は更に、本体の排気孔の端に延伸段を設けてなり、凹孤面を具有させることにより、排気により発生する側面部気流を隔離し順正に引導し、直気流の効果の妨害を防止する効果、及び排気を更に円滑にする効果を達成することを目的とする。
【課題を解決するための手段】
【０００５】
上記課題を解決するために、本考案は、下記の特徴を有する車両排気管の排気ダスト除去補助装置を提供する。
１．請求項１に記載の車両排気管の排気ダスト除去補助装置は、中空の管状の本体に、一体の延伸段を設け、延伸段を排気管内に装着し、本体内に吸気孔を形成し、延伸段内には排気孔を形成し、吸気孔は内側に斜面にラッパ状を形成し、排気孔は直線面に直線状を形成することを特徴とする。
２．請求項２に記載の車両排気管の排気ダスト除去補助装置は、請求項１の場合において、前記延伸段は薄く形成され、排気管との間に間隔を設け、延伸段は間隔を具有する排気孔の出口箇所に側面部気流の効果を形成し、側面部気流の妨害を低減し気流の円滑性を達成することを特徴とする。
３．請求項３に記載の車両排気管の排気ダスト除去補助装置は、請求項１の場合において、前記延伸段の外周には凹弧面が設けられ、側面部気流の排出を正常方向に導引する効果を具有することを特徴とする。
【考案の効果】
【０００６】
本考案は、中空な本体に口径縮小してなるラッパ形状の吸気孔、同等な直径の直管状の排気孔を設けてなり、通過する排気の増圧、直線流導作用を発生し排気流の速度を増強し、更に排気ダストの蓄積を防ぎ、排気を円滑にする。
【０００７】
本考案は更に、本体の排気孔の端に延伸段を設けてなり、凹孤面を具有させることにより、排気により発生する側面部気流を隔離し順正に引導し、直気流の効果の妨害を防止する効果、及び排気を更に円滑にする効果を達成する。
【考案を実施するための最良の形態】
【０００８】
図２は、本考案を排気管１内に装着してなり、排気Ｈは本体１０の吸気孔１１のラッパ状内に進入する時、斜面１３の縮小する経口に従って、排気Ｈを「圧縮」する作用を形成してなる。この排気圧縮の作用は排気に「気圧」の効果を発生させ、更に気圧を増強し、更に緊密に接続する排気孔１２は直線状孔を形成してなり、流導の作用を形成してなり、気圧が増強された排気Ｈは直気流ＬＨを形成し排出され、直気流ＬＨは流動速度を増加する効果を具有してなる。流動速度の増加された排気は、排気ダストが排気管１内に蓄積するのを防止し、即ち流動速度の増加により、排気ダストの排出を円滑にする効果を得ることができるのである。
【０００９】
上述のように、排気Ｈは本体１０の吸気孔１１、延伸段１０１、排気孔１２を通過した後、本体１０は厚みを具有する為、排気孔１２の出口周辺にて渦流が発生し、この渦流現象は乱流である側面部気流Ｈ１を発生し、側面部気流Ｈ１は直気流ＬＨの円滑性を妨害する。本考案は独特な設計により上述の問題を解決してなり、比較的薄い延伸段１０１を設けてなり、外周面は凹弧面１５を形成してなり、即ち延伸段１０１と排気管１の壁面との間に隙間を設けてなり、延伸段１０１が隙間を具有することにより側面部気流Ｈ１の効果を得てなり、凹弧面１５を設けてなることにより、側面部気流Ｈ１を正常な方向へ導引し、側面部気流が直気流ＬＨの妨害を防止してなり、直気流ＬＨの流動の円滑性への影響を防止し、気流を増強し気流の円滑に流通させ、管壁の排気ダストを除去し排気を更に迅速にする効果を達成する。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【図面の簡単な説明】
【００１１】
【図１】本考案の立体図である。
【図２】本考案の使用状態図である。
【符号の説明】
【００１２】
１０  本体
１１  吸気孔
１２  排気孔
１３  斜面
１４  直線面
１５  凹孤面
Ｈ    排気
Ｈ１  側面部気流
ＬＨ  直気流
１    排気管
１０１  延伸段
【図１】
0003124116.tif 000003
【図２】
0003124116.tif 000004